(57)【要約】【課題】電池による使用が可能である時間をより正確に算出する端末装置を提供する。【解決手段】電池１８ａにより駆動する携帯情報端末１は、電池残量検出部１１ａ、使用時間算出部１１ｂ、計時部１１ｃ、及び個別データ記憶部２０ａを備える。そして、携帯情報端末１は、計時部１１ｃでカウントされ個別データ記憶部２０ａに格納された使用時間に関するデータ及び電池に関するデータと、電池残量検出部１１ａにより算出される残り使用可能容量と、に基づいて使用時間算出部１１ｂで残り使用時間を算出して表示する。【選択図】図２
2006101584.tif 000002
【特許請求の範囲】
【請求項１】
複数の動作機能を有し、電池を電源として動作する端末装置において、
前記電池の残量を検出する電池残量検出手段と、
前記複数の動作機能ごとの使用状況から平均的使用電流値を算出する第１の算出手段と、
前記平均的使用電流値と前記電池の残量とに基づいて残り使用可能時間を算出する第２の算出手段と、
を備えることを特徴とする端末装置。
【請求項２】
前記複数の動作機能ごとの使用状況は、該複数の動作機能別における直近の一週間の累積使用時間であることを特徴とする請求項１に記載の端末装置。
【請求項３】
前記電池残量検出手段は、前記電池の電圧値に対応した使用可能な合計電流値を示す電池情報と前記電池の電圧値とを元に電池の残量を検出することを特徴とする請求項１又は２に記載の端末装置。
【請求項４】
ユーザからの操作指示を入力する入力手段と、
前記入力手段による指示、又は前記電池残量検出手段により検出される電池残量が予め定められた値より低下した時に前記残り使用可能時間を算出するように指示する指示手段と、
をさらに備えることを特徴とする請求項１〜３のいずれか一項に記載の端末装置。
【請求項５】
前記電池は、充電可能に構成される二次電池であり、
前記電池残量検出手段は、前記電池への充電量と前記複数の動作ごとの使用状況から電池残量を検出することを特徴とする請求項１〜４のいずれか一項に記載の端末装置。
【請求項６】
複数の動作機能を有し、電池を電源として動作する端末装置に設けられたコンピュータに、
前記電池の残量を検出する電池残量検出手段と、
前記複数の動作機能ごとの使用状況から平均的使用電流値を算出する第１の算出手段と、
前記平均的使用電流値と前記電池の残量とに基づいて残り使用可能時間を算出する第２の算出手段と、
を実現させるためのプログラム。
【発明の詳細な説明】
【技術分野】
【０００１】
本発明は、端末装置及びプログラムに関する。
【背景技術】
【０００２】
電池で駆動する端末装置は、一定時間使用することで電池を消耗して所定の起電力が得られなくなった場合、一次電池においては電池の交換、二次電池においては充電して使用する。よって、上記端末装置では、電池の残り使用可能容量や使用可能時間の概算をユーザが確認できる構成を備えることで、利便性が向上する。
【０００３】
一般に、電池の残り使用可能容量は、その電池の電圧を測定することで算出される。図４（ａ）は、許容容量に対して最大に蓄電された電池を一定の電力を消費する回路に組み込んだ場合の電池の電圧と稼動時間との関係を示すグラフである。通常、電池は、稼動当初では緩やかに電圧が降下し、一定の稼動時間が経過した所で急峻に電圧が降下する。このため、電圧値を測定し、予め求められた電圧値（Ｖ）とそれに対応する残り使用可能容量（ｍＡｈ）とを示すデータを備えることで、一定の電力を消費する場合の稼動時間を算出することができる。
【０００４】
例えば、上述した技術を用いたものとして、電池で駆動する携帯電話において、電池の端子電圧を検出し、その電圧値と電池の端子電圧に対応する使用可能時間のデータとを元に、通話又は待ち受けの可能時間を表示する携帯電話が公知である（特許文献１を参照）。
【特許文献１】特開平１１−５５３７２号公報
【発明の開示】
【発明が解決しようとする課題】
【０００５】
しかしながら、近年の携帯電話の多機能化により、ユーザは、通話機能を利用するだけでなく、電子メールの作成・閲覧・送受信、インターネットへの接続サービス、又は付属のデジタルカメラの機能、音楽鑑賞などを行うことができる。また、端末装置の利用方法や利用頻度は、ユーザごとに異なるものである。
そして、上述したそれぞれの機能は、使用する電力量が異なるため、従来の比較的電力消費の少ない待ち受け可能時間、又は電力消費の多い通話可能時間のみの算出では、ユーザが正確な利用可能時間を知ることが困難であった。
【０００６】
そこで、本発明の課題は、電池による使用が可能である時間をより正確に算出する端末装置を提供することである。
【課題を解決するための手段】
【０００７】
上記課題を解決するために、請求項１に記載の発明は、複数の動作機能を有し、電池を電源として動作する端末装置において、前記電池の残量を検出する電池残量検出手段と、前記複数の動作機能ごとの使用状況から平均的使用電流値を算出する第１の算出手段と、前記平均的使用電流値と前記電池の残量とに基づいて残り使用可能時間を算出する第２の算出手段と、を備えることを特徴とする。
更に、コンピュータに対して、上述した請求項１に記載の発明に示した主要機能を実現させるためのプログラムを提供する（請求項６に記載の発明）。
【０００８】
請求項２に記載の発明は、請求項１に記載の発明において、前記複数の動作機能ごとの使用状況は、該複数の動作機能別における直近の一週間の累積使用時間であることを特徴とする。
【０００９】
請求項３に記載の発明は、請求項１又は２に記載の発明において、前記電池残量検出手段は、前記電池の電圧値に対応した使用可能な合計電流値を示す電池情報と前記電池の電圧値とを元に電池の残量を検出することを特徴とする。
【００１０】
請求項４に記載の発明は、請求項１〜３のいずれか一項に記載の発明において、ユーザからの操作指示を入力する入力手段と、前記入力手段による指示、又は前記電池残量検出手段により検出される電池残量が予め定められた値より低下した時に前記残り使用可能時間を算出するように指示する指示手段と、をさらに備えることを特徴とする。
【００１１】
請求項５に記載の発明は、請求項１〜４のいずれか一項に記載の発明において、前記電池は、充電可能に構成される二次電池であり、前記電池残量検出手段は、前記電池への充電量と前記複数の動作ごとの使用状況から電池残量を検出することを特徴とする。
【発明の効果】
【００１２】
請求項１、６に記載の発明によれば、機能ごとに計時された使用時間に関するデータを元に算出された単位時間当たりの平均使用電流量と、電池状態から算出された電池残量とに基づいて使用可能時間を算出する構成であるため、ユーザの利用形態の即した正確な残り使用可能時間を算出することができ、より正確な利用時間の把握が可能となる。
【００１３】
請求項２に記載の発明によれば、直近の一週間における累積使用時間から算出する構成であるため、曜日ごとの使用傾向に応じた算出でき、より実情に即した利用時間の把握が可能となる。
【００１４】
請求項３に記載の発明によれば、電池の電圧から電池残量を算出する構成であるため、より単純な構成で電池残量を検出することができ、装置を小型化にすることができる。
【００１５】
請求項４に記載の発明によれば、予め設定された値と比較して電池残量が低下した時に使用可能時間を算出する構成であるため、残り電池残量が少なくなったことをユーザに注意喚起することができ、ユーザが見落とすことがない。
【００１６】
請求項５に記載の発明によれば、充電量と使用状況とに基づいて電池残量を算出する構成であるため、例えば電池電圧から電池残量の検出が正確に行われない状況においても、正確な残り使用時間の算出を行うことができる。
【発明を実施するための最良の形態】
【００１７】
以下、本発明に係る携帯情報端末１について、図面を参照しながら説明する。ただし、発明の範囲は図示例に限定されない。
【００１８】
図１（ａ）は、折り畳み式カメラ付き携帯電話であり、完全に開いた状態である携帯情報端末１の正面外観を示す図である。図１（ａ）に示すように、携帯情報端末１は、上蓋２２と下蓋２３とがヒンジ部２１により接合されており、ヒンジ部２１を軸にして上蓋２２と下蓋２３が向かい合うように折り畳む構成である。上蓋２２には、ユーザに上方を画像で表示する液晶ディスプレイであるメイン液晶部１５ａ、音声を出力するスピーカ部１６、及び被写体の静止画又は動画を撮影するカメラ部１９を備える。下蓋２３には、ユーザからの操作指示を受け付けるキー入力部１７、及び音声を入力するマイク２４を備える。また、ヒンジ部２１の内部には、完全に開いた状態又は閉じた状態を検知するスイッチ（図示しない）を備える。
【００１９】
図１（ｂ）は、完全に開いた状態である携帯情報端末１の背面外観を示す図である。図１（ｂ）に示すように、上蓋２２には、折り畳んだ際にもユーザに情報を画像で表示する液晶ディスプレイであるサブ液晶部１５ｂを備え、下蓋２３には、アンテナ２５を備える。
【００２０】
図１（ｃ）は、携帯情報端末１における閉じている状態から開いている状態へ移行する途中の状態、又は逆に移行する途中の状態の外観を示す図である。携帯情報端末１は、ヒンジ部２１の内部にバネなどによる完全に開いた状態又は閉じた状態でロックする機構を備え（図示しない）、ユーザが上蓋２２と下蓋２３を保持して、所定の力を加えることによりロックを解除し、図１（ｃ）の状態を経て、開閉する。
【００２１】
図１（ｄ）は、完全に閉じた状態である携帯情報端末１の側面外観を示す図である。携帯情報端末１は、ヒンジ部２１の内部にある上述した状態を検知するスイッチにより、例えば、閉じたことを検知して、メイン液晶部１５ａなど、所定の部位の電源を落とす。
【００２２】
次に、図２を参照して、携帯情報端末１の内部構成を説明する。図２に示すように、携帯情報端末１は、制御部１１、無線通信部１２、送話部１３、受話部１４、表示部１５、スピーカ部１６、キー入力部１７、電源部１８、カメラ部１９、及びデータ記憶部２０を備え、特に図示しないバスにより互いに電気的に接続されて構成される。
【００２３】
制御部１１は、図示しないＣＰＵ（Central  Processing  Unit）、内部ＲＡＭ（Random  Access  Memory）、ＲＯＭ（Read  Only  Memory）、電池残量検出部１１ａ、及び使用時間算出部１１ｂを備え、ＣＰＵにおいて、内部ＲＡＭの所定領域を作業領域としてＲＯＭに記憶されている各種制御プログラムに従い、上述した各部に制御信号を送って携帯情報端末１の動作全般を統括制御する。
電池残量検出部１１ａは、後述する電池残時間チェック処理において残り使用可能容量を算出する。また、第２の算出手段としての使用時間算出部１１ｂは、上記電池残時間チェック処理において残り使用時間を算出する。
計時部１１ｃは、常時一定周波数の水晶発振によるクロック信号を出力する水晶発振回路と前記クロック信号を計数して現在時刻を計時する計時回路とを有し（いずれも図示しない）、現在の年月日時分秒の日付時刻の計時や経過時間の計測を行い、その計時された日付データ又は時間データを出力する。
【００２４】
無線通信部１２は、アンテナ２５（図１（ｂ）を参照）に接続されて当該アンテナ２５を駆動制御する回路部であり、制御部１１から入力される指示により、外部の通信サービス業者が採用する無線通信方式（例えばＣＤＭＡ、ＰＤＣ、ＧＳＭ等）に基づく無線信号の変調・復調処理、及び、端末認証処理を含む通信処理を行う。
【００２５】
送話部１３は、ユーザの音声を相手に送話するものであり、下蓋２３に設けられたマイク２４（図１（ａ）を参照）からの音声信号を音声デジタル信号に変換して、制御部１１へ出力する。
受話部１４は、制御部１１から入力される受話音声デジタル信号を音声アナログ信号に変換して、後述するスピーカ部１６へ出力する。
【００２６】
表示部１５は、特に図示しない表示用ＤＳＰ（Digital  Signal  Processor）、メイン液晶部１５ａ、及びサブ液晶部１５ｂから構成され、制御部１１から入力される画像信号をＤＳＰで変換して画像出力信号としてメイン液晶部１５ａ又はサブ液晶部１５ｂへ出力し、画像を表示する。
【００２７】
スピーカ部１６は、制御部１１又は受話部１４から出力される音声出力信号に基づいて、音楽再生、着信音、又は受話時における音声を出力する。なお、スピーカ部１６は、モータによって重りを偏心回転させることで振動を発生するバイブレータを備え、制御部１１の指示により着信音を出力する時などに、機器を振動して通知してもよい。
【００２８】
キー入力部１７は、携帯情報端末１に対する操作指示を入力するための数字キー、文字キー、機能キーなどの各種キーや、小型のスティック状のポインティングデバイス等を含んで構成される。ユーザは、メイン液晶部１５ａに表示される画面を参照しながらキー入力部１７を操作することにより携帯情報端末１に対する各種操作指示又は設定を行う。
【００２９】
電源部１８は、後述する電池１８ａから供給される電力を供給するための電源用回路である。電源部１８が特に図示しない商用交流電源に接続した場合は、その商用交流電源を元にした各部への電力供給と、電池１８ａが二次電池である場合は、その二次電池への充電を行う。なお、充電時には、充電時間と電流値などから充電時における充電量の積算と、後述する充電カウンタの更新を行う。
また、電源部１８は、電池残量検出部１１ａの指示により電池１８ａの電圧を測定し、その電圧値を電池残量検出部１１ａへ出力する。
【００３０】
電池１８ａは、アルカリ乾電池やマンガン乾電池などの一時電池や、ニッケル・カドミウム蓄電池、ニッケル・水素蓄電池、及びリチウムイオン電池などの二次電池であり、電源部１８に電力を供給する。
【００３１】
カメラ部１９は、特に図示しない光学レンズ、撮像素子などによって構成され、制御部１１の指示により、光学レンズから入光して撮像素子に結像する画像を画像信号として制御部１１へ出力する。
【００３２】
データ記憶部２０は、電気的に消去及び書き換えが可能な不揮発メモリであり、ＥＥＰＲＯＭ（Electrically  Erasable  and  Programmable  Read-Only  Memory）やフラッシュメモリなどにより構成される。データ記憶部２０は、制御部１１からの指示により携帯情報端末１のシステムプログラム、及び該システムプログラム上で実行可能な各種処理プログラム、アプリケーションプログラム及びこれらのプログラムで処理されたデータなどの記録や従来のデータの消去を行う。
また、データ記憶部２０は、所定の領域を個別データ記憶部２０ａとして確保し、そこに、充電量、電池電圧−電池容量に関するデータ、１時間ごとの機能別平均使用量に関するデータ、使用カウンタテーブル、一週間テーブル、及び累積使用時間テーブルを格納する。
【００３３】
ここで、個別データ記憶部２０ａに格納される各種データについて説明する。先ず、図４（ｂ）に電池電圧−電池容量に関するデータを示し、（ｃ）に１時間当たりの機能別平均使用量に関するデータを示す。
電池電圧−電池容量に関するデータは、電圧値（Ｖ）とそれに対応する残り使用可能容量（ｍＡｈ）とを示すデータである。ここで、上限の電圧値を４．３０Ｖとしているが、これは前述した図４（ａ）における急峻な電圧降下が開始される電圧値の一例である。また、特に電圧値の上限を限定するものではなく、許容容量に対して最大に蓄電された時の電圧値を上限にする構成であって良い。
１時間当たりの機能別平均使用量は、通話の待ち受け、音声通話、メール機能、着信・報知機能、カメラ撮影機能、及び音楽再生機能など各種機能別の１時間当たりの平均使用量（ｍＡｈ）のデータである。
【００３４】
次に、図５の（ａ）に使用カウンタテーブル、（ｂ）に１週間テーブル、（ｃ）に累積使用時間テーブルを示す。
使用カウンタテーブルは、更新した日付情報と、充電した後の経過時間を示す充電カウンタと、上述した各種機能ごとの使用時間を示すカウンタとが格納され、計時部１１ｃにより所定の周期でそのカウンタが更新されて記録されることで使用時間を計時するテーブルである。１週間テーブルは、直近の曜日ごとの各種機能の使用時間を記録するテーブルである。累積使用時間テーブルは、所定の処理により０に戻されるまでの各種機能の累積使用時間を示すテーブルである。
【００３５】
次に、電池で駆動する端末装置の残り使用時間の算出の概略について、図３（ａ）を参照して説明する。図３（ａ）は、処理の流れを左から右へ示し、電池の状態を検出してから最終的に残り使用時間を算出までの主要な流れを示す図である。
先ず、制御部１１では、電池残量検出部１１ａにおいて、検出された電池電圧と個別データ記憶部２０ａに格納された電池電圧−電池容量に関するデータとに基づいて残り使用可能容量（ｍＡｈ）を算出する。また、個別データ記憶部２０ａに格納された使用カウンタテーブル、１週間テーブル、累積使用時間テーブル、及び１時間当たりの機能別平均使用量を元に平均使用量を算出する。そして、算出された平均使用量と残り使用可能容量とに基づいて残り使用時間が算出される。
【００３６】
具体的には、検出された電池電圧が４．０７（Ｖ）である場合、電池電圧−電池容量に関するデータ（図４（ｂ）を参照）から検出値を挟むデータである４．１０（Ｖ）と４．０５（ｖ）の使用可能容量が参照され、直線近似されることで検出値の残り使用可能容量である５３０（ｍＡｈ）が算出される（図６（ａ）を参照）。そして、累積使用時間テーブルから機能別使用率が算出され（図６（ｂ）を参照）、その機能別使用率と１時間当たりの機能別平均使用量とに基づいて平均使用量の２０．３５（ｍＡｈ）が算出された後（図６（ｃ）を参照）、その平均使用量と前述した残り使用可能容量の５３０（ｍＡｈ）から残り使用時間である２６時間２分が算出される（図６（ｄ）を参照）。
【００３７】
＜実施例１＞
次に、実施例１として、制御部１１により機器の状態から使用時間をカウントする使用時間カウント処理と電池残時間チェック処理について図７〜１０に示すフローチャートを参照して説明する。
【００３８】
先ず、電源ＯＮから累積使用時間テーブルを更新する処理を図７に示すフローチャットを参照して説明する。制御部１１は、ユーザなどによる電源ＯＮ指示により、着信の待受状態に設定し（ステップＳ１１）、使用カウンタテーブルの日付情報と計時部１１ｃによる現在の日付情報とを比較する（ステップＳ１２）。
ステップＳ１２において、一致すると判定された場合（ステップＳ１３：ＹＥＳ）、そのままＡに移行される。一致しないと判定された場合（ステップＳ１３：ＮＯ）、使用カウンタテーブルの日付情報に基づいた１週間テーブルの曜日に使用カウンタテーブルに格納された機能ごとの使用時間が格納され（ステップＳ１４）、更新された１週間テーブルの情報から各機能別の累積使用時間が算出され（ステップＳ１５）、累積使用時間テーブルへ格納された後（ステップＳ１６）、使用カウンタテーブルがリセットされ（ステップＳ１７）、Ａへ移行される。
【００３９】
次に、上述のＡからの続きで、機器の状態から使用時間をカウントする処理を図８、９に示すフローチャートを参照して説明する。
【００４０】
先ず、制御部１１は、待受カウンタをＯＮにして使用カウンタテーブルにおける待受の計時を行う（ステップＳ１８）。ステップＳ１８の後、着信やタイマー機能などにより報知状態であるかが判定され（ステップＳ１９）、報知状態である場合（ステップＳ１９：ＹＥＳ）、待受カウンタがＯＦＦ、報知カウンタがＯＮに設定され（ステップＳ２０）、報知の終了が検出されることで（ステップＳ２１：ＹＥＳ）、報知カウンタがＯＦＦにされて（ステップＳ２２）、報知の計時が行われる。
【００４１】
ステップＳ１９において、報知状態がない場合（ステップＳ１９：ＮＯ）、音声通話が行われているかが判定され（ステップＳ２３）、音声通話状態である場合（ステップＳ２３：ＹＥＳ）、待受カウンタがＯＦＦ、通話カウンタがＯＮに設定され（ステップＳ２４）、通話の終了が検出されることで（ステップＳ２６：ＹＥＳ）、通話カウンタがＯＦＦにされて（ステップＳ２７）、通話の計時が行われる。
【００４２】
ステップＳ２３において、音声通話状態でない場合（ステップＳ２３：ＮＯ）、メールを送受信している状態であるかが判定され（ステップＳ２８）、メール送受信状態である場合（ステップＳ２８：ＹＥＳ）、待受カウンタがＯＦＦ、メールカウンタがＯＮに設定され（ステップＳ２９）、メール送受信状態の終了が検出されることで（ステップＳ３１：ＹＥＳ）メールカウンタがＯＦＦにされて（ステップＳ３２）、メール送受信の計時が行われる。なお、上述したメール送受信状態は、メールの作成・閲覧状態を含む構成であってもよい。
【００４３】
ステップＳ２８において、メール送受信状態でない場合（ステップＳ２８：ＮＯ）、カメラシャッタがＯＮであるかが判定され（ステップＳ３３）、カメラシャッタがＯＮである場合（ステップＳ３３：ＹＥＳ）、待受カウンタがＯＦＦ、カメラカウンタがＯＮに設定され（ステップＳ３４）、画像キャプチャから、そのキャプチャ画像の圧縮処理、圧縮画像の記録までの一連の撮像処理が行われ（ステップＳ３５〜３７）、カメラカウンタがＯＦＦにされて（ステップＳ３８）、カメラ撮影の計時が行われる。なお、上述したカメラカウンタによるカメラ撮影の計時は、撮影に伴う撮像処理に限定することなく、カメラ部１９で撮影された画像を表示部１５で表示するファインダー機能状態を含む構成であってもよい。
【００４４】
ステップＳ３３において、カメラシャッタがＯＮでない場合（ステップＳ３３：ＮＯ）、音楽を再生しているかが判定され（ステップＳ３９）、音楽再生を行っている場合（ステップＳ３９：ＹＥＳ）、待受カウンタがＯＦＦ、音楽カウンタがＯＮに設定され（ステップＳ４０）、音楽再生の終了が検出されることで（ステップＳ４２：ＹＥＳ）音楽カウンタがＯＦＦにされて（ステップＳ４３）、音楽再生の計時が行われる。
【００４５】
ステップＳ３９において、音楽を再生していない場合（ステップＳ３９：ＮＯ）、キー操作の有無が検知され（ステップＳ４４）、キー操作がある場合で（ステップＳ４４：ＹＥＳ）残時間チェックのキー操作が入力された場合（ステップＳ４５：ＹＥＳ）、後述する電池残時間チェック処理が行われる（ステップＳ４６）。
なお、ステップＳ４５における残時間チェック操作の判定は、ユーザからのキー操作に限定するものではなく、所定の周期で行われるものであってよい。これにより、電池残時間を常時監視して、ユーザに通知することができる。
【００４６】
以上、図８、９に示したステップＳ１８〜４７までの処理により、使用カウンタテーブルにおける各種機能ごとの計時が行われる。
【００４７】
次に、ステップＳ４６における電池残時間チェック処理を図１０に示すフローチャートを参照して説明する。
【００４８】
制御部１１は、電池電圧を検出し（ステップＳ５０）、指示手段としてのステップＳ５１により所定の電圧値以上であるかを判定する。ここにおける所定の電圧値とは、個別データ記憶部２０ａに格納された電池電圧−電池容量に関するデータの範囲内の電圧を示し、本実施の形態においては電池残量が少なく、急峻な電圧降下を起こし、残り容量との対応が明確に算出できる電圧値（図４（ａ）を参照）を想定している。しかし、特に限定するものではなく、ユーザの操作により予め設定された値であってよい。
このため、その電圧値内である場合に後述する処理を行うことで、ユーザに警告及び電池残量の通知を行うことができる。
また、個別データ記憶部２０ａに格納された電池電圧−電池容量に関するデータは、緩やかな電圧降下を起こす部分を含む構成であってもよい。
【００４９】
ステップＳ５１において、所定の電圧以下であると判定された場合（ステップＳ５１：ＮＯ）、前述の図３（ａ）を参照しながら説明した具体例のとおり、ステップＳ５２〜５８の処理が行おこなわれ、残り使用時間が算出される。
つまり、個別データ記憶部２０ａに格納された電池電圧−電池容量に関するデータが読み込まれ（ステップＳ５３）、検出された電圧値における残り使用可能容量が算出される（ステップＳ５３）。なお、ここでの算出は、検出値を挟むデータにおける電池電圧−電池容量の値を直線近似してもよいが、曲線近似してよい。
そして、個別データ記憶部２０ａに格納された累積使用時間テーブルが読み取られ（ステップＳ５４）、機能別使用率が算出され（ステップＳ５５）、さらに個別データ記憶部２０ａに格納された１時間当たりの機能別平均使用量が読み取られ（ステップＳ５６）、第１の算出手段としてのステップＳ５７により、その算出された機能別使用率と読み取られた１時間当たりの機能別平均使用量とを元に平均使用量が算出され、その平均使用量と前述した残り使用可能容量から残り使用時間が算出される（ステップＳ５８）。なお、機能別使用率の算出は、各機能が重複して動作した場合の個別の使用率を算出するものであってもよく、特に限定しない。
【００５０】
ここで、ステップＳ５４において読み取られるデータは累積使用時間テーブルと使用カウンタテーブルであり、その合計値からステップＳ５５において機能別使用率を算出する構成であっても良い。この場合、使用カウンタテーブルを含んで算出するため、さらに現状に即した残り使用時間の算出を行うことができる。
【００５１】
また、ステップＳ５４において読み取られるデータは、計時部１１ｃにおいて出力される現在の日付情報を元にして参照される１週間テーブルでの所定の曜日の機能別使用時間であり、そのデータからステップＳ５５において機能別使用率を算出する構成であってもよい。この場合、曜日ごとの使用状況に即した残り使用時間の算出を行うことができる。
【００５２】
ステップＳ５８の後、算出された残り使用時間が表示部１５に表示されて（ステップＳ５９）終了する。
ここにおける残り使用時間の表示例を図１５に示す。図１５（ａ）は、時間および分による残り推定使用時間と、ステップＳ５５において算出された機能別使用率をメイン液晶部１５ａに表示する例である。なお、使用時間の表示は日数と時間などであってもよい。
図１５（ｂ）は、残り推定使用時間と、ステップＳ５３において算出された残り使用可能容量と１時間当たりの機能別平均使用量とから算出される機能ごとの推定使用時間を表示する例である。
なお、図１５における表示例は、メイン液晶部１５ａのものとしたが、サブ液晶部１５ｂであってもよい。
【００５３】
以上のように、携帯情報端末１は、機器の状態に応じた使用時間のカウントを行い、電池残時間チェック処理により、予め定められた電圧と比較することで、電池残量が少なくなったことを検知して、残り使用時間を画面に表示し、ユーザへの警告やユーザの使用形態に即した残り使用時間の通知を行うことができる。
【００５４】
＜実施例２＞
次に、実施例２として、所定電圧である場合（ステップＳ５１：ＹＥＳ）に充電量と推定使用量を元に残り使用可能容量を算出する構成について、図３（ｂ）に示す概略図と図１１に示すフローチャートを参照して説明する。
【００５５】
まず、残り使用時間算出の概略を図３（ｂ）に示す。図３（ｂ）は、前述した図３（ａ）の構成に対して残り使用可能容量の算出を異にし、充電量を検出して、その充電量と個別データ記憶部２０ａに格納された使用時間と１時間当たりの平均使用量に関するデータから残り使用可能容量を算出する構成を示す図である。
【００５６】
次に、図１１を参照して、本実施例におけるフローチャートを説明する。
制御部１１は、所定の電圧以上であると判定された場合（ステップＳ５１：ＹＥＳ）、電源部１８により算出されて個別データ記憶部２０ａに格納された充電量を取得する（ステップＳ６０）。次に、個別データ記憶部２０ａに格納された累積使用時間テーブル、使用カウンタテーブル、及び１時間当たりの機能別平均使用量が取得され（ステップＳ６１）、充電後における機能ごとの平均使用時間が算出され、その機能ごとの平均使用時間と１時間当たりの機能別平均使用量とにより各機能が消費した推定使用量が算出され、その合計値である充電後の推定使用量が算出される（ステップＳ６２）。
そして、充電量から推定使用量を引いた分である残り使用可能容量が算出される（ステップＳ６３）。
【００５７】
以上のように、携帯情報端末１は、所定の電圧以上である場合に充電量と使用時間から算出された推定使用量とを元に残り使用可能容量を算出する構成である。このため、例えば電池の特性などにより、所定の電圧以上では電池電圧から残り使用可能容量が正確に算出できない場合においても、正確な残り使用可能容量を算出することができる。
【００５８】
＜変形例１＞
次に、実施例１の変形例として、制御部１１が待受機能とカメラ撮影又は音楽再生の機能に関するカウントを並列に行う処理について、図１２、１３に示すフローチャートを参照しながら説明する。
【００５９】
図１２、１３に示すフローチャートは、前述の図７〜１０に示したフローチャートにおけるＡ以降の変形例であり、報知状態（ステップＳ１９）、音声通話状態（ステップＳ２３）、及びメール送受信状態（ステップＳ２８）の処理の流れと、カメラ撮影（ステップＳ３３）、音楽再生（ステップＳ３９）、及びキー操作（ステップＳ４４）の処理の流れとを分け、カウンタの計時を待受と通信機能以外のその他の機能とで並列に行う構成としたものである。
【００６０】
具体的には、待受カウンタがＯＮにされ（ステップＳ１１８）、報知状態、音声通話状態、又はメール送受信状態であるかが判定され（ステップＳ１１９、１２３、１２８）、いずれの状態でもない場合はそのままＤに移行される。
ここで、上述のいずれかの状態であると判定された場合は、判定された状態のカウントが行われ（ステップＳ１２０、１２４、１２９）、その状態の終了によるカウンタのＯＦＦおよび待受カウンタがＯＮにされて（ステップＳ１２２、１２７、１３２）Ｄに移行される。
【００６１】
そして、Ｄからカメラ撮影状態、音楽再生状態、及びキー操作の有無が判定され（ステップＳ１３３、１３９、１４４）、いずれの状態でもない場合はそのままＣに戻る。
ここで、カメラ撮影状態、又は音楽再生状態であると判定された場合は、待受カウンタをＯＦＦにすることなく判定された状態によるカウントが行われ（ステップＳ１３４、１４０）、その状態の終了によりカウンタがＯＦＦにされて（ステップＳ１３８、１４３）Ｃに戻る。
【００６２】
以上のように、変形例１では、待受カウントとカメラ撮影又は音楽再生に関するカウントとを並列で行う構成であるため、一般に携帯電話の待受など、他の処理と並列に行われる処理がある場合においても、正確な残り使用時間の算出を行うことができる。
【００６３】
なお、以上の実施の形態においては、折り畳み式カメラ付き携帯電話としたが、本発明はこれに限定されるものではなく、ＰＤＡなどのたの携帯情報端末を含む携帯電子機器であっても良い。
【図面の簡単な説明】
【００６４】
【図１】本発明を適用した折り畳み式カメラ付き携帯電子機器である携帯情報端末１の外観図で、（ａ）は、開いた状態の正面外観図であり、（ｂ）は、開いた状態の背面外観図であり、（ｃ）は、側面斜視図であり、（ｄ）は、閉じた状態の側面図である。
【図２】携帯情報端末１の機能的構成を模式的に示すブロック図である。
【図３】携帯情報端末１における残り使用時間の算出の概略を示す図であり、（ａ）は、電池電圧を検出して残り使用時間を算出する過程を示す図であり、（ｂ）は、充電量から残り使用時間を算出する過程を示す図である。
【図４】（ａ）は、許容容量に対して最大に蓄電された電池において一定の電力を消費する場合の時間と電力との関係を示すグラフであり、（ｂ）は、電池電圧−電池容量に関するデータを示すテーブルであり、（ｃ）は、１時間当たりの機能別平均使用量に関するデータを示すテーブルである。
【図５】（ａ）は、機能ごとに格納される使用時間を示す使用カウンタテーブルであり、（ｂ）は、直近の曜日ごとの各種機能の使用時間を記録する１週間テーブルであり、（ｃ）は、各種機能の累積使用時間を記録する累積使用時間テーブルである。
【図６】（ａ）は、残り使用可能容量の算出例であり、（ｂ）は、累積使用時間テーブルを元にした機能別使用率の算出例であり、（ｃ）は、平均使用量の算出例であり、（ｄ）は、残り使用時間の算出例である。
【図７】実施例１における各種機能ごとに使用時間をカウントする処理を説明するフローチャートである。
【図８】実施例１における各種機能ごとに使用時間をカウントする処理を説明するフローチャートである。
【図９】実施例１における各種機能ごとに使用時間をカウントする処理を説明するフローチャートである。
【図１０】実施例１における電池残時間チェック処理を説明するフローチャートである。
【図１１】実施例２における電池残時間チェック処理を説明するフローチャートである。
【図１２】変形例２における各種機能ごとに使用時間をカウントする処理を説明するフローチャートである。
【図１３】変形例２における各種機能ごとに使用時間をカウントする処理を説明するフローチャートである。
【図１４】（ａ）は、メイン液晶部１５ａにおける残り推定使用時間と機能別使用率の表示例であり、（ｂ）は、メイン液晶部１５ａにおける残り推定使用時間と機能別推定使用時間の表示例である。
【符号の説明】
【００６５】
１  携帯情報端末
１１  制御部
１１ａ  電池残量検出部
１１ｂ  使用時間算出部
１１ｃ  計時部
１２  無線通信部
１３  送話部
１４  受話部
１５  表示部
１５ａ  メイン液晶部
１５ｂ  サブ液晶部
１６  スピーカ部
１７  キー入力部
１８  電池
１８ａ  電源部
１９  カメラ部
２０  データ記憶部
２０ａ  個別データ記憶部
２１  ヒンジ部
２２  上蓋
２３  下蓋
２４  マイク
２５  アンテナ
【図１】
2006101584.tif 000003
【図２】
2006101584.tif 000004
【図３】
2006101584.tif 000005
【図４】
2006101584.tif 000006
【図５】
2006101584.tif 000007
【図６】
2006101584.tif 000008
【図７】
2006101584.tif 000009
【図８】
2006101584.tif 000010
【図９】
2006101584.tif 000011
【図１０】
2006101584.tif 000012
【図１１】
2006101584.tif 000013
【図１２】
2006101584.tif 000014
【図１３】
2006101584.tif 000015
【図１４】
2006101584.tif 000016